【手続補正書】
【提出日】平成20年2月5日(2008.2.5)
【手続補正１】
【補正対象書類名】明細書
【補正対象項目名】発明の名称
【補正方法】変更
【補正の内容】
【発明の名称】コンピュータネットワークスキャンシステム、コンピュータネットワークスキャン方法及びコンピュータプログラム
【手続補正２】
【補正対象書類名】明細書
【補正対象項目名】特許請求の範囲
【補正方法】変更
【補正の内容】
【特許請求の範囲】
【請求項１】  コンピュータネットワークに接続されたスキャナノードに文書をスキャンするためのスキャンオーダを処理させるためのコンピュータネットワークスキャンシステムであって、
前記コンピュータネットワークに接続され、スキャンオーダの作成のために少なくともスキャンパラメータの入力を行うための少なくとも１つのコンピュータ端末と、
前記コンピュータネットワークに接続され、前記コンピュータ端末で入力されたスキャンパラメータと、スキャンオーダを処理すべきスキャナノードの能力とが一致するよう調停し、当該調停により確定したスキャンパラメータとスキャナノードとを特定する情報を含むスキャンオーダを作成するための少なくとも１つのオーダエントリサーバコンピュータと、
前記コンピュータネットワークに接続され、前記オーダエントリサーバコンピュータで作成されたスキャンオーダに含まれるスキャナノードを特定する情報に対応するスキャンノードであって、前記オーダエントリサーバコンピュータで作成されたスキャンオーダを取得し、該スキャンオーダに含まれるスキャンパラメータを特定する情報に従って文書をスキャンするよう制御する少なくとも１つのスキャナノードとを有するコンピュータネットワークスキャンシステム。
【請求項２】  前記オーダエントリサーバコンピュータは、ユーザがスキャンオーダ作成のための情報を入力するためのスキャンオーダエントリフォームを前記コンピュータ端末に提示することを特徴とする請求項１に記載のコンピュータネットワークスキャンシステム。
【請求項３】  前記オーダエントリサーバコンピュータは、前記コンピュータ端末で入力されたスキャンパラメータを、スキャンオーダを処理すべきスキャナノードで処理できないと判定した場合、その旨を前記コンピュータ端末に通知し、スキャンパラメータと、スキャンオーダを処理すべきスキャナノードの能力とを一致させるよう促すことにより前記調停を行うことを特徴とする請求項１または２に記載のコンピュータネットワークスキャンシステム。
【請求項４】  前記オーダエントリサーバコンピュータは、前記コンピュータネットワークに接続されたスキャナノードの能力プロファイルのデータベースを有し、前記コンピュータ端末で入力されたスキャンパラメータと、前記データベースに含まれるスキャナノードの能力プロファイル内の能力とが一致するように調停を行うことを特徴とする請求項１乃至３のいずれか１項に記載のコンピュータネットワークスキャンシステム。
【請求項５】  前記オーダエントリサーバコンピュータは、前記スキャナノードによるスキャンオーダの処理が完了したことを通知する通知先を含むスキャンオーダを作成することを特徴とする請求項１乃至４のいずれか１項に記載のコンピュータネットワークスキャンシステム。
【請求項６】  前記オーダエントリサーバコンピュータは、前記スキャナノードによるスキャンオーダの処理によって得られるスキャン画像の送信先を含むスキャンオーダを作成することを特徴とする請求項１乃至５のいずれか１項に記載のコンピュータネットワークスキャンシステム。
【請求項７】  前記スキャナノードは、複数のスキャンオーダを保持するキューを有し、前記キューで保持している複数のスキャンオーダを所定の順序に従って処理することを特徴とする請求項１乃至６のいずれか１項に記載のコンピュータネットワークスキャンシステム。
【請求項８】  前記スキャナノードは、前記キューに保持しているスキャンオーダが所定時間経過後も処理されない場合、該スキャンオーダを前記キューから除去することを特徴とする請求項７に記載のコンピュータネットワークスキャンシステム。
【請求項９】  前記スキャナノードが、スキャンオーダの処理が完了すると、当該スキャンオーダに含まれる通知先にスキャンオーダの処理が完了したことを通知することを特徴とする請求項１乃至８のいずれか１項に記載のコンピュータネットワークスキャンシステム。
【請求項１０】  前記スキャナノードは、スキャンオーダを処理することによって得られるスキャン画像を、当該スキャンオーダに含まれる送信先に送信することを特徴とする請求項１乃至９のいずれか１項に記載のコンピュータネットワークスキャンシステム。
【請求項１１】  コンピュータネットワークに接続されたスキャナノードに文書をスキャンするためのスキャンオーダを処理させるためのコンピュータネットワークスキャン方法であって、
前記スキャナノードと前記コンピュータネットワークを介して接続されたオーダエントリサーバコンピュータにおいて、
前記オーダエントリサーバコンピュータと前記コンピュータネットワークを介して接続されたコンピュータ端末から、スキャンオーダの作成のために少なくともスキャンパラメータの入力を受け付け、
前記コンピュータ端末で入力されたスキャンパラメータと、スキャンオーダを処理すべきスキャナノードの能力とが一致するよう調停し、
前記調停により確定したスキャンパラメータとスキャナノードとを特定する情報を含むスキャンオーダを作成し、
前記作成されたスキャンオーダに含まれるスキャナノードを特定する情報に対応するスキャナノードに当該スキャンオーダに基づくスキャンを実行させることを特徴とするコンピュータネットワークスキャン方法。
【請求項１２】  コンピュータネットワークに接続されたスキャナノードに文書をスキャンするためのスキャンオーダを処理させるためのコンピュータネットワークスキャン方法をコンピュータにより実現するためのコンピュータプログラムであって、
前記スキャナノードと前記コンピュータネットワークを介して接続されたオーダエントリサーバコンピュータにおいて、
前記オーダエントリサーバコンピュータと前記コンピュータネットワークを介して接続されたコンピュータ端末から、スキャンオーダの作成のために少なくともスキャンパラメータの入力を受け付ける手順と、
前記コンピュータ端末で入力されたスキャンパラメータと、スキャンオーダを処理すべきスキャナノードの能力とが一致するよう調停する手順と、
前記調停により確定したスキャンパラメータとスキャナノードとを特定する情報を含むスキャンオーダを作成する手順と、
前記作成されたスキャンオーダに含まれるスキャナノードを特定する情報に対応するスキャナノードに当該スキャンオーダに基づくスキャンを実行させる手順とを実行することを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、コンピュータネットワークに接続されたスキャナノードに文書をスキャンするためのスキャンオーダを処理させるためのコンピュータネットワークスキャンシステム、コンピュータネットワークスキャン方法及びコンピュータプログラムに関する。
【手続補正４】
【補正対象書類名】明細書
【補正対象項目名】０００７
【補正方法】変更
【補正の内容】
【０００７】
【課題を解決するための手段】
本発明の一態様によれば、コンピュータネットワークに接続されたスキャナノードに文書をスキャンするためのスキャンオーダを処理させるためのコンピュータネットワークスキャンシステムであって、前記コンピュータネットワークに接続され、スキャンオーダの作成のために少なくともスキャンパラメータの入力を行うための少なくとも１つのコンピュータ端末と、前記コンピュータネットワークに接続され、前記コンピュータ端末で入力されたスキャンパラメータと、スキャンオーダを処理すべきスキャナノードの能力とが一致するよう調停し、当該調停により確定したスキャンパラメータとスキャナノードとを特定する情報を含むスキャンオーダを作成するための少なくとも１つのオーダエントリサーバコンピュータと、前記コンピュータネットワークに接続され、前記オーダエントリサーバコンピュータで作成されたスキャンオーダに含まれるスキャナノードを特定する情報に対応するスキャンノードであって、前記オーダエントリサーバコンピュータで作成されたスキャンオーダを取得し、該スキャンオーダに含まれるスキャンパラメータを特定する情報に従って文書をスキャンするよう制御する少なくとも１つのスキャナノードとを有するコンピュータネットワークスキャンシステムが提供される。
【手続補正５】
【補正対象書類名】明細書
【補正対象項目名】０００８
【補正方法】変更
【補正の内容】
【０００８】
本発明の他の態様によれば、コンピュータネットワークに接続されたスキャナノードに文書をスキャンするためのスキャンオーダを処理させるためのコンピュータネットワークスキャン方法であって、前記スキャナノードと前記コンピュータネットワークを介して接続されたオーダエントリサーバコンピュータにおいて、前記オーダエントリサーバコンピュータと前記コンピュータネットワークを介して接続されたコンピュータ端末から、スキャンオーダの作成のために少なくともスキャンパラメータの入力を受け付け、前記コンピュータ端末で入力されたスキャンパラメータと、スキャンオーダを処理すべきスキャナノードの能力とが一致するよう調停し、前記調停により確定したスキャンパラメータとスキャナノードとを特定する情報を含むスキャンオーダを作成し、前記作成されたスキャンオーダに含まれるスキャナノードを特定する情報に対応するスキャナノードに当該スキャンオーダに基づくスキャンを実行させることを特徴とするコンピュータネットワークスキャン方法が提供される。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】